(57)【要約】【課題】分割された部分ごとに取付けることができ、長さ調節を最後の取り付け作業箇所で行なえるコントロールケーブルを提供することを目的とする。【解決手段】２組のコントロールケーブルであって、一方の導管の端部に固定される結合ケースが、該導管と反対側に開口するシリンダ部を有し、他方の導管の端部に固定される結合ケースが、２組のコントロールケーブルの中心軸が連続するように、シリンダ部を有する結合ケースの開口部側と嵌め合い固定可能であり、一方の内索端部に固定される結合ピースが、該内索の軸方向中央に向いた爪を有し、他方の内索端部に固定される結合ピースが、２組のコントロールケーブルの中心軸が連続するように、前記結合ピースに形成された爪と係合する突起を有しており、一方の結合ピースは前記シリンダ内を、導管の軸方向にスライド可能であり、前記シリンダ部に前記結合ピースのスライド動作を規制する機構を有する。【選択図】図８
2006038217.tif 000002
【特許請求の範囲】
【請求項１】
それぞれ導管と該導管に挿通される内索とからなる２組のコントロールケーブルの一方コントロールケーブルと他方のコントロールケーブルを中継し接続するコントロールケーブル中継接続装置であって、
前記一方および他方のコントロールケーブルが、それぞれ結合ケースと結合ピースとを備えており、当該それぞれの結合ケースには導管の端部が固定され、当該それぞれの結合ピースには内索の端部が係合し、
前記一方のコントロールケーブルは、前記結合ケースに隣接するシリンダ部をさらに有し、
前記他方のコントロールケーブルの結合ケースが、前記一方のコントロールケーブルの結合ケースと嵌着可能であり、
前記一方のコントロールケーブルの結合ピースと前記他方の結合ピースが、前記一方および他方のコントロールケーブルが同軸状に配置されるように係合し、
前記一方および他方のコントロールケーブルの結合ピースが、前記一方のコントロールケーブルの結合ケースのシリンダ内をスライド可能であり、
前記一方のコントロールケーブルの結合ケースが、前記一方および他方のコントロールケーブル結合ピースのスライド動作を規制する規制手段を有してなる
コントロールケーブル中継接続装置。
【請求項２】
前記一方のコントロールケーブルの結合ケースに前記シリンダ部が設けられ、当該シリンダ部が、前記導管と反対側に開口し、
前記他方のコントロールケーブルの結合ケースが、前記一方および他方のコントロールケーブルの中心軸が連続するように、前記一方のコントロールケーブルの結合ケースの開口部側と嵌め合い固定可能であり、
前記他方のコントロールケーブルの結合ピースが、前記内索の軸方向中央に向いた爪を有し、
前記一方のコントロールケーブルの結合ピースが、前記一方および他方のコントロールケーブルの中心軸が連続するように、前記他方のコントロールケーブルの結合ピースに形成された爪と係合する突起または前記爪を収容する凹部を有しており、
前記一方および他方のコントロールケーブルの結合ピースが、前記シリンダ内を、該結合ケースが固定された導管の軸方向にスライド可能であり、
前記規制手段が結合ピースロック機構である請求項１記載のコントロールケーブル中継接続装置。
【請求項３】
前記２組のコントロールケーブルの一方の導管が、
該導管の端部に形成される、外周に凹凸溝を列設した円筒形状のアジャスターエンドと、
該導管に固定される結合ケースに設けられる、前記アジャスターエンドを収容するケース部と、
前記アジャスターエンドの凹凸溝にかみ合う溝が内周に形成され、前記アジャスターエンドを収容するケース部に嵌合し前記アジャスターエンドをはさんで、前記導管端部を前記ケース部に対して軸方向の位置を選択したのち移動できないように固定する、断面がほぼＵ字形状のロック部材とを有する請求項２記載のコントロールケーブル中継接続装置。
【請求項４】
前記結合ケースと前記シリンダ部とが別体である請求項２または３記載のコントロールケーブル中継接続装置。
【請求項５】
前記アジャスターエンドが形成される導管が、
該導管の外周に固定されるバネ押さえと、
該バネ押さえに一方の端があたり、他方の端が前記ケース部を有する結合ケースを、該コントロールケーブルに設けられた結合ピース方向に付勢するバネと
を有する請求項３または４記載のコントロールケーブル中継接続装置。
【請求項６】
前記規制手段が、
内側に突起を有するＣ字形状リングと、
前記シリンダ部を有する結合ケースの外周に形成される溝と、
該溝の一部に形成され、前記シリンダ部の内面に貫通する孔と
からなり、前記Ｃ字形状リングが前記溝に回転可能に嵌められ、該Ｃリングに形成された内側突起が前記貫通孔にはまり込んで、前記シリンダ部のスライド面に突起を形成してなる請求項１、２、３、４または５記載のコントロールケーブル中継接続装置。
【請求項７】
前記規制手段が、
前記一方のコントロールケーブルの結合ケースに形成される貫通孔と、
該貫通孔を貫く割りピンと
からなり、
前記割りピンを前記貫通孔に挿入することによって、前記結合ピースのスライド動作を規制する請求項１、２、３、４または５記載のコントロールケーブル中継接続装置。
【請求項８】
前記規制手段が、逆Ｕ字状のロックピースからなり、
該逆Ｕ字状のロックピースが、一端が連結された２つのアーム部と、
該２つのアーム部に、前記結合ピースの外周面の形状と同一の形状を有する凹所が互いに対向するように設けられ、さらに１または２以上の突起とを備えており、
該１または２以上の突起が前記凹所より下部に設けられてなる請求項１、２、３、４または５記載のコントロールケーブル中継接続装置。
【請求項９】
請求項１、２、３、４、５、６、７または８記載のコントロールケーブル中継持続装置を有するコントロールケーブルおよびそれを用いた装置。
【発明の詳細な説明】
【技術分野】
【０００１】
本発明は遠隔操作をするためのコントロールケーブルを中継して接続する装置に関する。さらに詳しくは、コントロールケーブルを分割して、それぞれ独立して配索および取付長さ調整できるコントロールケーブルの中継接続装置に関する。
【背景技術】
【０００２】
従来、車両などではコントロールケーブルを用いて、遠隔操作することが多い。たとえば、運転席からトランクリッドやフューエルリッドを開放したり、後部シートの背もたれを倒す操作をリアハッチ側から行なったりしている。
【０００３】
最近では、ミニバンと呼ばれる車種が増えているが、ミニバンでは荷物を積み込む際に、リアハッチ側から後部シートを倒す操作を行なえるようにするのが便利である。特に３列シートの場合、第２列のシートはリアハッチから手が届かないので、遠隔操作が必要になる。
【０００４】
シートの操作をリアハッチ側から行なえるようにしたものとしては、たとえば、シートバック用リクライニング機構のレリーズ構造を改良して、コントロールケーブルをリクライニング機構に連結する作業を車室前方から行なえるようにしたものがある（たとえば、特許文献１参照）。また、シートスライドとシートバックを倒す操作を、リアハッチ側の一箇所で操作できるようにしたものがある（たとえば、特許文献２参照）。
【０００５】
【特許文献１】特許第３３００２３４号公報
【特許文献２】特開２００２−７９８６０号公報
【発明の開示】
【発明が解決しようとする課題】
【０００６】
たとえば、遠隔操作として車両のシートの操作をリアハッチ側から行なえるようにする場合、シートを操作するケーブルは、シートを組み立てる前に配索することが必要になる場合が多い。ところが、３列シートの第２列シートを操作するケーブルが連続した１本のケーブルの場合は、操作レバーの位置から第２列シートまで手が届かないため、コントロールケーブルの配索作業に時間がかかったり、２人で行なわなければならなかったりする。そこで、コントロールケーブルを分割し、別々に組付け（配索し）たのち、中継接続して長さを調整することが考えられる。
【０００７】
しかし、分割してコントロールケーブルを配索するとき、ケーブルの他方の端部は開放状態なので、コントロールケーブルを操作レバーなどに固定することができず、中継接続したのちに、接続されたコントロールケーブルの両端を調整して固定しなければならない。せっかく分割して配索しても、分割したケーブルを１本に接続してからケーブルの取り付け長さを調整して両端を固定するのでは、組立て調整箇所が離れているため、１人で行う場合には組立て調整に時間がかかり、または、組立て調整時間を短縮するためには２人で作業しなければならない。
【０００８】
本発明は、長いコントロールケーブルを途中で中継接続することによって、分割して組み立てることができるようにし、さらに、分割されたケーブルの部分ごとに取付を完了して、長さ調整を最後の取り付け作業箇所で行なえるコントロールケーブルを提供することを目的とする。
【課題を解決するための手段】
【０００９】
本発明のコントロールケーブル中継接続装置は、それぞれ導管と該導管に挿通される内索とからなる２組のコントロールケーブルの一方コントロールケーブルと他方のコントロールケーブルを中継し接続するコントロールケーブル中継接続装置であって、
前記一方および他方のコントロールケーブルが、それぞれ結合ケースと結合ピースとを備えており、当該それぞれの結合ケースには導管の端部が固定され、当該それぞれの結合ピースには内索の端部が係合し、
前記一方のコントロールケーブルは、前記結合ケースに隣接するシリンダ部をさらに有
前記他方のコントロールケーブルの結合ケースが、前記一方のコントロールケーブルのに結合ケースと嵌着可能であり、
前記一方のコントロールケーブルの結合ピースと前記他方の結合ピースが、前記一方および他方のコントロールケーブルが同軸状に配置されるように係合し、
前記一方および他方のコントロールケーブルの結合ピースは、前記一方のコントロールケーブルの結合ケースのシリンダ内をスライド可能であり、
前記一方のコントロールケーブルの結合ケースが、前記一方および他方のコントロールケーブル結合ピースのスライド動作を規制する規制手段を有してなることを特徴としている。
【００１０】
なお、請求項１に記載された「前記結合ケースに隣接するシリンダ部」の「隣接」とは、結合ケースとシリンダ部とが一体的に形成されて互いに隣り合うこと、結合ケースとシリンダ部とが別体として形成され、ねじのよる螺合、弾性体などによる圧入や嵌着などの結合手段で機械的に結合可能であること、結合ケースとシリンダ部とが完全に離間されていることを含む概念である。
【００１１】
また、前記一方のコントロールケーブルの結合ケースに前記シリンダ部が設けられ、当該シリンダ部が、前記導管と反対側に開口し、
前記他方のコントロールケーブルの結合ケースが、前記一方および他方のコントロールケーブルの中心軸が連続するように、前記一方のコントロールケーブルの結合ケースの開口部側と嵌め合い固定可能であり、
前記他方のコントロールケーブルの結合ピースが、前記内索の軸方向中央に向いた爪を有し、
前記一方のコントロールケーブルの結合ピースが、前記一方および他方のコントロールケーブルの中心軸が連続するように、前記他方のコントロールケーブルの結合ピースに形成された爪と係合する突起または前記爪を収容する凹部を有しており、
前記一方および他方のコントロールケーブルの結合ピースが、前記シリンダ内を、該結合ケースが固定された導管の軸方向にスライド可能であり、
前記規制手段が結合ピースロック機構であってもよい。
【００１２】
また、前記結合ケースと前記シリンダ部とが別体であってもよい。
【００１３】
またさらに、本発明のコントロールケーブル中継接続装置は、前記アジャスターエンドが形成される導管が、
該導管の外周に固定されるバネ押さえと、
該バネ押さえに一方の端があたり、他方の端が前記ケース部を有する結合ケースを、該コントロールケーブルに設けられた結合ピース方向に付勢するバネと
を有することが好ましい。
【００１４】
また、本発明のコントロールケーブル中継接続装置は、前記結合ピースロック機構が、
内側に突起を有するＣ字形状リングと、
前記シリンダ部を有する結合ケースの外周に形成される溝と、
該溝の一部に形成され、前記シリンダ部の内面に貫通する孔とからなり、
前記Ｃ字形状リングが前記溝に回転可能に嵌められ、該Ｃ字形状リングに形成された内側突起が前記貫通孔にはまり込んで、前記結合ケースに形成されるシリンダ部のスライド面に突起を形成して前記結合ピースのスライド動作を規制することが好ましい。
【００１５】
あるいは、本発明のコントロールケーブル中継接続装置は、前記結合ピースロック機構が、前記シリンダ部を有する結合ケースに形成される貫通孔と、該貫通孔を貫く割りピンとからなり、
前記割りピンを前記貫通孔に挿入することによって、前記結合ピースのスライド動作を規制してもよい。
【００１６】
また、前記規制手段として機能する結合ピースロック機構は、逆Ｕ字状のロックピースから構成することも可能であり、この場合、該逆Ｕ字状のロックピースは、一端が連結された２つのアーム部と、
該２つのアーム部に、前記結合ピースの外周面の形状と同一の形状を有する凹所が互いに対向するように設けられ、さらに１または２以上の突起とを備えており、
該１または２以上の突起が前記凹所より低部に設けられてなることが好ましい。
【発明の効果】
【００１７】
本発明のコントロールケーブル中継接続装置は、コントロールケーブルを分割して、それぞれ独立に配索固定できる。また、分割されたケーブルの部分ごとに組付け調整を完了できる。さらに、アジャスター機構によって、最後の長さ調整を取り付け作業箇所で行なうことができる。また、バネを有するアジャスター機構によって最後の長さ調整を簡単に行なうことができる。
【００１８】
さらにＣ字形状の回転可能なリングをまわすことによって、結合ピースをロックしたりロックを解除したりできるので、規制手段として機能する結合ピースロック機構のロックピンが落下することがない。また、再度調整するときに別の部品を取り付けずにロック機構を働かせることができる。
【００１９】
なお、結合ケースの貫通孔と割りピンによるロック機構の場合は、構造が簡単で部品の加工と組立ての工数が少なくてすむ。
【発明を実施するための最良の形態】
【００２０】
以下、図面を参照して、本発明のコントロールケーブル中継接続装置にかかわる一実施の形態について説明する。
【００２１】
図１は、第１の結合ケース７が第１の導管３に固定される第１のコントロールケーブル１の平面図である。また、図２は、第２の結合ケース８が第２の導管４に固定される第２のコントロールケーブル２の平面図である。
【００２２】
図１において、第１の導管３の端部にはアジャスターエンド２３が形成されている。アジャスターエンド２３は外周に凹凸溝２４が形成された円筒であり、第１の導管３に嵌めこまれてかしめ固定されている（図５参照）。図３は第１の結合ケース７を示す平面図（ａ）と図３（ａ）のＹ−Ｙ断面図（ｂ）である。第１の結合ケース７には、アジャスターエンド２３を収容するケース部２１が形成されている。ケース部２１の側方に空けられた孔から、ロック部材２５が挿入される。ロック部材２５は図４に示すような断面がほぼＵ字形状をしており、Ｕ字形状の内側にアジャスターエンドに形成された凹凸溝にかみ合う溝２６が形成されている。ロック部材２５はケース部２１の側方に空けられた側孔２２から挿入され、ケース部２１に収容されているアジャスターエンド２３をロック部材２５のＵ字形状がはさんで溝がかみ合い、アジャスターエンド２３が軸方向に移動しないように固定する。また、第１の結合ケース７には、第１の導管３とは反対側に開口するシリンダ部１１が形成されている。なお、図３（ｂ）には、第１の結合ケース７とシリンダ部１１とが一体成形により形成されたものであるように図示されているが、かかる形態に限られることはなく、第１の結合ケース７とシリンダ部１１とを別体してネジによる螺着されたものや、圧入や嵌着などによって一体化されたものあってもよい。また、さらに第１の結合ケース７とシリンダ部１１とを完全に離間させることもできる。
【００２３】
第１のコントロールケーブル１の第１の内索５の端部に第１の結合ピース９が抜けないように係合されている。実際には、第１の結合ピース９に第１の内索５を通してから、第１の内索５の端部にニップルエンド４３を固定して、第１の結合ピース９から第１の内索５が抜けないようにしている。第１の結合ピース９は第１の内索５の端部に固定してもよい。しかし、本実施の形態においては、第１の結合ピース９から第１の内索５が抜けないように係合したり固定することは必須ではない。たとえば、第１の結合ピース９の第１の内索５を貫通する部位に適宜スリット（図示されていない）を設けて、第１の結合ピース９を第１の内索５に着脱自在に設けるようにすることもできる。第１の結合ピース９の第１の内索５が係合された側と反対側には、後述する第２の結合ピース１０がはめ込まれるように孔３３が形成されており、孔の周囲に第２の結合ピース１０に形成される爪３２が係合する突起部３１が設けられている。第１の結合ピース９は、第１の結合ケース７のシリンダ部１１の中をケーブルの軸方向にスライドするようにはめ込まれる。
【００２４】
図１４は、請求項１に記載された規制手段として機能する本実施の形態における結合ピースロック機構を示す、図１のＸ−Ｘ断面図である。第１の結合ケース７のシリンダ部１１の外周には溝１２が形成されており、溝１２の一部にシリンダ部内面に貫通する貫通孔１３がシリンダ外周の対向する位置に２箇所あけられている。また、溝１２には貫通孔１３に対して９０°の位置に２箇所、シリンダ内面に貫通しないくぼみ１４が形成されている。第１の結合ケース７の溝１２に、Ｃ字形状リング１５が回転可能にはめ込まれている。Ｃ字形状リング１５は内側に、第１の結合ケース７の貫通孔１３またはくぼみ１４にちょうどはまるように、２つの突起１６が形成されている。Ｃ字形状リング１５を回して、突起１６がちょうど貫通孔１３にはまると、突起１６はシリンダ内面に突き出るようになっている。その結果、第１の結合ピース９がシリンダ内をスライドすることを規制する（結合ピースロック機構）（図１４（ａ）参照）。また、Ｃ字形状リング１５を回して、突起１６をくぼみ１４に合わせると、突起１６がくぼみ１４にはまりこんで止まるので、振動などによってＣ字形状リング１５が動くことがなく、貫通孔１３に突起１６が落ち込むことを防止できる（図１４（ｂ）参照）。
【００２５】
第１のコントロールケーブル１の第１の導管３には、バネ押さえ２７が固定されている。バネ押さえ２７と第１の結合ケース７の間にバネ２８があって、第１の結合ケース７を第１の結合ピース９の方に向かって付勢している。
【００２６】
図２において、第２のコントロールケーブル２の第２の導管４の端部に、第２の結合ケース８が固定されている。また、第２のコントロールケーブル２の第２の内索６の端部に、第２の結合ピース１０が係合されている。実際には、第２の結合ピース１０に第２の内索６を通してから、第２の内索６の端にニップルエンド４３を固定して、第２の結合ピース１０から第２の内索６が抜けないようにしている（図６参照）。第２の結合ピース１０は第２の内索６の端部にダイカストにより一体的に形成することによって固定してもよい。
【００２７】
図７は第２の結合ケース８のＺ−Ｚ断面図である。第２の結合ケース８は第１の結合ケース７のシリンダ開口部の外周に嵌合し、第２の結合ケース８の内周に形成された内周溝４２と、第１の結合ケース７の開口部外周突起４１が係合し、第１のコントロールケーブル１と第２のコントロールケーブル２の中心軸が連続するように接続して、容易に抜けない構造になっている（図８および９参照）。本実施の形態では、内索を押し込む操作はせず、コントロールケーブルの両端から内索を引く操作しか行なわないので、導管には張力が働かず、第１の結合ケース７と第２の結合ケース８が離脱することはない。
【００２８】
図６に第２の結合ピース１０の詳細を示す。第２の結合ピース１０には、外周に爪３２が形成されており、前記第１の結合ピース９に形成された孔３３に第２の結合ピース１０をはめ込むと、第１のコントロールケーブル１と第２のコントロールケーブル２の内索同士が中心軸が連続するように接続され、爪３２が突起３１に係合して抜けない構造になっている。爪３２にはバネ性があって、第１の結合ピース９に挿入するときは中心に押し付けられて、第１の結合ピース９にはまるが、一旦はまると爪３２が広がって抜けなくなる（図８および９参照）。
【００２９】
その結果、第１のコントロールケーブル１と第２のコントロールケーブル２は内索同士が第１の結合ピース９と第２の結合ピース１０で連結され、導管同士が第１の結合ケース７と第２の結合ケース８で連結される。結合ピースロック機構のロックを解除すれば、接続された内索は一体となって、同じく接続された導管の中を摺動し、１本のコントロールケーブルとして機能する。また、アジャスターエンド２３を第１の結合ケース７に対してその位置を変えることによって、導管全体の長さを調節することができる。なお、図８には、アジャスターエンド２３が導管３にカシメることによって固定されているように示されているが、このような固定の仕方に限られることはなく、たとえば、導管３と一体成形するようにしてもよい。
【００３０】
つぎに、組付け手順について説明する。図１０〜１３は本実施の形態にかかわるコントロールケーブルの組付け手順における、中継接続装置の作用を説明する部分断面図である。
【００３１】
まず、結合ピースロック機構を有する第１のコントロールケーブル１を配索する。このとき、第１の結合ピース９はＣ字形状リング１５によりロックされた状態である。また、ロック部材２５は完全には挿入されず、アジャスターエンド２３の凹凸溝２４とロック部材２５のかみ合い溝２６はかみ合っていない。ロック部材２５は挿入されないように、スライダー４４で押さえられている（図１０）。しかしながら、本実施の形態においてスライダー４４は必須ではない。スライダー４４を設ける代わりに、結合ケース７に突起（図示されていない）を一体または別体として形成することによって、突起の弾性力によってロック部材２５の挿入を阻止してもよい（ロック部材２５を挿入する場合は、突起の弾性力に打ち勝つように強く圧入すればよい）。図には示していないが、第１のコントロールケーブル１の他方の端は、第１の結合ピース９をロックした状態で、第１の内索５をいっぱいに引いて（第２のコントロールケーブル側に内索が引かれた操作状態で）、たとえばリアハッチ側に設けられたシート操作レバー（図示せず）に固定する。その結果、バネ２８は縮んだ状態で取付けられる。第１の結合ピース９がロックされていてスライドできないので、第２のコントロールケーブル側に引かれた状態で固定することができる。
【００３２】
つぎに、第２のコントロールケーブル２を配索する（図１１）。先に第２の結合ピース１０を第１の結合ピース９に挿入し、つぎに第２の結合ケース８を第１の結合ケース７に嵌合する。そして、第２のコントロールケーブル２の他方の端（図示せず）を、内索を引いた状態で、たとえば第２列シートの操作機構（図示せず）に固定する。第２の内索６は第２の結合ピース１０が導管（この場合は第２の結合ケース）に当るので、緩みなく固定できる。
【００３３】
第１および第２のコントロールケーブルを配索して接続したのち、中継接続装置の結合ピースロック機構を解除する（図１４（ｂ））。すると、バネ２８の力によって第１の導管３が伸ばされて、内索のアソビが吸収される（図１２）。この状態で、アジャスターエンド２３を固定する（図１３）。すなわち、一旦スライダー４４をロック部材２５から離し（図１３では右側に動かし）、ロック部材２５を側孔２２へ押し込んでロック部材２５のかみ合い溝２６をアジャスターエンド２３の凹凸溝２４にかみ合わせ、アジャスターエンド２３と第１の結合ケース７が動かないように固定する。そして、スライダー４４をロック部材２５の角部に設けた爪に係合させて（図１３では左に動かして）、ロック部材２５が抜けないように固定する。前述のように、スライダー４４に代えて結合ケース７に形成された突起（図示されていない）によってロック部材２５が抜けないようにすることもできる。
【００３４】
このようにして、分割されたコントロールケーブルを独立して配索することができ、長さ調節もそれぞれ独立に行なうことができる。
【００３５】
なお、コントロールケーブルを使用している間に内索が伸びて緩んだような場合には、アジャスター機構を用いて、導管の長さを調節することによって、内索の緩みを吸収することができる。
【００３６】
前記実施の形態では、第１の結合ピース９に突起部３１を設け、第２の結合ピース１０に爪３２を設けたが、シリンダ部１１をスライドする第１の結合ピース９に爪を設け、第２の結合ピース１０に突起部を設けてもよい。たとえば、爪を第１の結合ピース９の第２の結合ピース１０が嵌る穴の内側に設け、突起部を第２の結合ピース１０の外側に設けてもよい。また、前記実施の形態では、アジャスター機構を第１の結合ケース７と組み合わせたが、アジャスター機構を、シリンダ部１１のない第２の結合ケース８側に形成してもよい。
【００３７】
また、前記実施の形態では、第２の結合ピース１０の爪３２と係合するように、第１の結合ピース９に突起部３１を形成したが、突起部３１に代えて、第１の結合ピース９の内周に、くぼみ、溝または孔などからなる凹部を形成して、爪３２と係合させてもよい。
【００３８】
なお、アジャスター機構のバネ２８とバネ押さえ２７を省略して、工具などで導管を伸ばしながら長さ調節を行なってもよい。さらに、コントロールケーブルの長さを調節する機構が取り付け部（操作レバーなど）に備えられている場合や、取付け長さの精度を要求されない場合には、アジャスター機構を省略して、結合ケースを直接導管に固定してもよい。
【００３９】
前記実施の形態では、結合ピースロック機構をＣ字形状リング１５と第１の結合ケース７の貫通孔１３で構成したが、簡易な方法として図１５に示すように、貫通孔１３に割りピン４５を挿入することによって、結合ピースのスライド動作を規制してもよい。その場合は、第１の結合ケース７の外周に溝１２とくぼみ１４を形成する必要がなく、割りピン４５のように簡単な部材で結合ピースロック機構を構成できる。
【００４０】
また、図１６（ａ）、（ｂ）および（ｃ）を参照すると、第１の結合ピース９のスライド動作を逆Ｕ字状のロックピース４６を挿入することによっても規制することができる。この場合、逆Ｕ字状のロックピース４６は、互いにほぼ平行に延びる２つのアーム部４６Ａから構成され、該２つのアーム部４６Ａには、第１の結合ケース７の内周面７ｉｎの形状と同一の形状を有する凹所４６Ｒが互いに対向するように設けられ、該凹所４６Ｒより下部には２以上の突起４６Ｐ、４６Ｑが設けられている。第１の結合ケースの両側面にはロックピース４６が摺動する摺動溝７ａが設けられており、ロックピース４６の突起４６Ｐまたは４６Ｑが嵌合する嵌合くぼみ７ｂが形成されている（図１６（ｃ）参照）。第１の結合ピース９のスライド動作が規制されているときは第１の結合ケース７の嵌合くぼみ７ｂにロックピース４６の突起４６Ｑが嵌合してロックピース４６が第１の結合ケース７から脱落するのを防ぎ、突起４６Ｐが第１の結合ケース７の内周面７ｉｎから突出することで第１の結合ピース９のスライド動作を規制している。
【００４１】
ロックピース４６のレバー４６Ｌをロックピース４６のレバー４６Ｌの下部４６Ｃが結合ケース７の外周面７ｏｕｔに当接するまで押し込むと、図１６（ｂ）に示されるように、第１の結合ケース７の内周面７ｉｎとロックピース４６の凹所４６Ｒとが一致して第１の結合ピース９のスライド動作の規制が解除する。また、ロックピース４６の突起４６Ｐが第１の結合ケース７の嵌合くぼみ７ｂに嵌合することで、ロックピース４６が第１の結合ケース７から脱落しないようにしている。
【図面の簡単な説明】
【００４２】
【図１】本発明の一実施の形態にかかわる第１の結合ケースが固定されるコントロールケーブルを示す平面図である。
【図２】本発明の一実施の形態にかかわる第２の結合ケースが固定されるコントロールケーブルを示す平面図である
【図３】第１の結合ケースの詳細図、（ａ）は平面図、（ｂ）は（ａ）のＹ−Ｙ断面図である。
【図４】ロック部材の一例を示す正面図である。
【図５】アジャスターエンドの一例を示す側面図である。
【図６】第２の結合ピースの一例を示す側面図である。
【図７】第２の結合ケースの一例を示す図２のＺ−Ｚ断面図である。
【図８】本発明の一実施の形態にかかわる２組のコントロールケーブルを結合した状態を表わす、平面図である。
【図９】図８の側面図である。
【図１０】本発明の一実施の形態にかかわるコントロールケーブル中継接続装置の組立て手順１、結合前の状態を表す側面図である。
【図１１】本発明の一実施の形態にかかわるコントロールケーブル中継接続装置の組立て手順２、コントロールケーブルを接続させた状態を表す側面図である。
【図１２】本発明の一実施の形態にかかわるコントロールケーブル中継接続装置の組立て手順３、結合ピースロックを解除した状態を表わす側面図である。
【図１３】本発明の一実施の形態にかかわるコントロールケーブル中継接続装置の組立て手順４、アジャスターエンドを固定した状態を表わす側面図である。
【図１４】本発明の一実施の形態にかかわるコントロールケーブル中継接続装置の結合ピースロック機構を表わす、図１のＸ−Ｘ断面図である。（ａ）は結合ピースをロックした状態、（ｂ）はロックを解除した状態を示す。
【図１５】結合ピースロック機構が割りピンによる場合を表わす、図１のＸ−Ｘ断面に相当する断面図である。
【図１６】図１４のコントロールケーブル中継接続装置の結合ピースロック機構の他の変形例を示す説明図であり、（ａ）は結合ピースをロックした状態、（ｂ）はロックを解除した状態、（ｃ）は第１の結合ケースの断面形状を示す。
【符号の説明】
【００４３】
１  第１のコントロールケーブル
２  第２のコントロールケーブル
３  第１の導管
４  第２の導管
５  第１の内索
６  第２の内索
７  第１の結合ケース
８  第２の結合ケース
９  第１の結合ピース
１０  第２の結合ピース
１１  シリンダ部
１２  溝
１３  貫通孔
１４  くぼみ
１５  Ｃ字形状リング
１６  突起
２１  ケース部
２２  側孔
２３  アジャスターエンド
２４  凹凸溝
２５  ロック部材
２６  かみ合い溝
２７  バネ押さえ
２８  バネ
３１  突起部（第１の結合ピース）
３２  爪（第２の結合ピース）
３３  孔
４１  開口部外周突起（第１の結合ケース）
４２  内周溝（第２の結合ケース）
４３  ニップルエンド
４４  スライダー
４５  割りピン
４６  逆Ｕ字状のロックピース
【図１】
2006038217.tif 000003
【図２】
2006038217.tif 000004
【図３】
2006038217.tif 000005
【図４】
2006038217.tif 000006
【図５】
2006038217.tif 000007
【図６】
2006038217.tif 000008
【図７】
2006038217.tif 000009
【図８】
2006038217.tif 000010
【図９】
2006038217.tif 000011
【図１０】
2006038217.tif 000012
【図１１】
2006038217.tif 000013
【図１２】
2006038217.tif 000014
【図１３】
2006038217.tif 000015
【図１４】
2006038217.tif 000016
【図１５】
2006038217.tif 000017
【図１６】
2006038217.tif 000018